(57)【特許請求の範囲】
【請求項１】
商品収納棚へ向けて所定の下り傾斜方向に沿って缶を流しながら供給する商品流れ方向に平坦な底面を有する商品供給ガイドに、大径缶に当接し小径缶に当接しない位置に大径缶に当接した際に大径缶により押し上げられて大径缶の移動を許容する大径缶当接部を配置し、商品供給ガイドの底部からの離間距離が小径缶の直径よりも小さい姿勢で小径缶に当接することにより小径缶の商品供給通路下流側への移動を規制する小径缶規制手段を前記商品供給通路内における大径缶当接部よりも下流側に設け、大径缶当接部の動きに連動して前記小径缶規制手段を商品供給ガイドの底部からの離間距離が大径缶の直径以上となるように移動して大径缶の通過を許容する状態とする手段を設けた自動販売機における商品通路規制装置。
【請求項２】
商品供給ガイドが断面上向きコ字状をなす樋状のガイドとされ、該ガイドの側壁部に、ガイド底部からの高さが前記商品収納棚に収納される小径缶と大径缶の内、小径缶の直径より低い高さを始端とし、該始端よりガイド奥端方向へ向け傾斜角を有してガイド底部より高さを増し末端高さが大径缶の直径より高くされた案内孔が両側壁部の対面位置に設けられ、該両案内孔間にロッドが掛け渡され案内孔に沿って平行移動可能に支持され、一方、前記案内孔の始端よりガイドの入口側へ離れた位置で前記大径缶の直径より高い位置を支点とし前記案内孔の奥端位置を越える長さの揺動板であって、前記支点とロッドとの間で大径缶と接する揺動板が前記ガイドの側壁間に設けられ、該揺動板の前記案内孔始端に位置するロッドと合致する位置に前記ロッドと係脱自在で係合時にはロッドの案内孔に沿った移動を制限する係合部が形成されてなることを特徴とする自動販売機における商品通路規制装置。
【請求項３】
ガイド底面より揺動板の末端高さが、大径缶の直径より低く、小径缶の直径より高い位置となるように前記揺動板を固定するストッパーがガイド側壁部に設けられたことを特徴とする請求項２に記載の自動販売機における商品通路規制装置。
【請求項４】
ストッパーと商品排出口の商品通路規制装置との間に連動リンク装置を設けたことを特徴とする請求項３に記載の自動販売機における商品通路規制装置。
【請求項５】
商品供給ガイドが断面上向きコ字状をなす樋状のガイドとされ、該ガイド側面に、ガイド底部からの高さが前記商品収納棚に収納される大径缶の直径より高い高さを支点とし、該支点よりガイド奥端方向へ向け下方傾斜し末端高さが大径缶の直径より低くかつ小径缶の直径より高くなるようストッパにより支持された第一のレバーが大径缶外面に接触可能に支持され、さらに該第一のレバーの末端に第二のレバーが相対回転可能に連接され、該第二のレバーはガイド奥端方向へ向けさらに下方傾斜して末端高さが小径缶の直径より低く支持され、該第二のレバーの末端の移動が、前記第一のレバーの末端の略最高位置の連接点を中心とする円周軌道に規制され、該円周軌道の規制部の下端に、前記第二のレバーの長さ方向のみ移動を許容する長さ方向規制部を設けたことを特徴とする自動販売機における商品通路規制装置。
【発明の詳細な説明】
【０００１】
【発明の属する技術分野】
この発明は、自動販売機における商品通路規制装置に関し、詳しくは缶飲料の缶径に応じて商品通路の規制を可変とした自動販売機における商品通路規制装置に関する。
【０００２】
【従来の技術】
一般に、缶商品を扱う自動販売機は図１３、図１４に示す構造とされている。即ち、自動販売機本体１の内部には搬送路を兼ねた商品収納棚２が複数列設けられ、これら商品収納棚２は缶体（商品）３５Ａ、３５Ｂの収納高さを小さくするために商品収納搬送路３が蛇行状に形成されている。
【０００３】
各商品収納棚２の下端部には、収納した缶体３５Ａ、３５Ｂを順次払い出す商品払出装置４が設けられている。
そして、商品払出装置４に設けられた規制ストッパ（図示せず）により下から２番目の缶体３５Ａ、３５Ｂの落下を規制した状態で、商品払出装置４の下部に設けられた開閉フラッパ５を開けることにより、下端の缶体３５Ａ、３５Ｂが下方へ払い出されるようになっている。
【０００４】
前記自動販売機本体１の下部には商品取出口４１が形成され、そして前記商品払出装置４群の下方には、払い出された缶体３５Ａ、３５Ｂをこの商品取出口４１に導くシュート４２が設けられている。なお、商品取出口４１とシュート４２との境界部分には断熱扉４３が設けられ、また前記商品取出口４１には取出口扉４４が設けられている。
【０００５】
各商品収納棚２の上部にはそれぞれ商品入口部１０が形成され、これら入口部１０には缶体３５Ａ、３５Ｂの投入をガイドする入口ガイド１１が設けられている。
【０００６】
また各商品収納棚２の下部にはそれぞれ出口部２０が形成され、これら出口部２０には、前記商品払出装置４に対向して出口ガイド２１が設けられている。
ところで缶商品が缶飲料の場合、大径缶３５Ｂと小径缶３５Ａの二種があり、缶体３５Ａ、３５Ｂの流通を円滑にするために、缶径に応じて各入口ガイド１１ならびに出口ガイド２１の位置を調節するようにしている。
【０００７】
入口ガイド１１は、その遊端（内端）と円弧板４５の最上部の円弧板４５Ａとの間、即ち入口部の幅を調整するために、円弧板４５Ａに対し接近または離間位置に調節できるようになっており、また出口ガイド２１は、対向した商品払出装置４との間隔、すなわち出口部幅を調節するために商品払出装置４に接近または離間位置に調節できるようになっている。
【０００８】
【発明が解決しようとする課題】
しかし、上記した従来の自動販売機においては、大径の缶３５Ａに入口部の幅を設定した場合、小径の缶３５Ｂはこの幅を通過できるので、小径缶が誤投入された場合、そのまま商品収納棚２へと混収されてしまうことがあった。
【０００９】
この結果、商品収納棚２内に、小径缶３５Ａが大径缶３５Ｂの間に噛み込まれて詰まる不都合が生じ、かつ、このような詰まりが生じると、内部構成体を取り出し上下を逆にして缶体３５Ａ、３５Ｂを取り出さなければならなくなるという大きな問題があった。
【００１０】
もっとも、このような問題は、ガイド１１に光電管装置とこれに連動して不適検出により閉じるシャッター装置などを設ければ確実に解消できるが、これら装置は非常に高価であり、軽便には使用できない欠点があった。
【００１１】
この発明は上記問題点を解消することを目的としてなされたものであって、簡単な機構により、大径缶のみを通し小径缶の通過は許さない自動販売機における商品通路規制装置を提供することを目的としてなされたものである。
【００１２】
【課題を解決するための手段】
即ち、請求項１の自動販売機における商品通路規制装置は、商品収納棚へ向けて所定の下り傾斜方向に沿って缶を流しながら供給する商品流れ方向に平坦な底面を有する商品供給ガイドに、大径缶に当接し小径缶に当接しない位置に大径缶に当接した際に大径缶により押し上げられて大径缶の移動を許容する大径缶当接部を配置し、商品供給ガイドの底部からの離間距離が小径缶の直径よりも小さい姿勢で小径缶に当接することにより小径缶の商品供給通路下流側への移動を規制する小径缶規制手段を前記商品供給通路内における大径缶当接部よりも下流側に設け、大径缶当接部の動きに連動して前記小径缶規制手段を商品供給ガイドの底部からの離間距離が大径缶の直径以上となるように移動して大径缶の通過を許容する状態とする手段を設けたものである。
【００１３】
即ち、小径缶の通過を阻止する手段を大径缶のみに接することのできる大径缶当接部の動きにより解除することによって、大径缶を通過可能な状態とし、大径缶当接部に接触できない小径缶が投入された場合、小径缶規制手段が解除されないようにして小径缶の通過を阻止するのである。
【００１４】
請求項２の自動販売機における商品通路規制装置は、商品供給ガイドが断面上向きコ字状をなす樋状のガイドとされ、該ガイドの側壁部に、ガイド底部からの高さが前記商品収納棚に収納される小径缶と大径缶の内、小径缶の直径より低い高さを始端とし、該始端よりガイド奥端方向へ向け傾斜角を有してガイド底部より高さを増し末端高さが大径缶の直径より高くされた案内孔が両側壁部の対面位置に設けられ、該両案内孔間にロッドが掛け渡され案内孔に沿って平行移動可能に支持され、一方、前記案内孔の始端よりガイドの入口側へ離れた位置で前記大径缶の直径より高い位置を支点とし前記案内孔の奥端位置を越える長さの揺動板であって、前記支点とロッドとの間で大径缶と接する揺動板が前記ガイドの側壁間に設けられ、該揺動板の前記案内孔始端に位置するロッドと合致する位置に前記ロッドと係脱自在で係合時にはロッドの案内孔に沿った移動を制限する係合部が形成されてなることを特徴とするものである。
【００１５】
この請求項２の発明によると、大径缶が投入された場合は、その直径と揺動板の接触関係及び支点位置との関係から、揺動板がロッドから外れ、その結果大径缶はロッドを押して収納棚方向へ進めるが、揺動板を押し上げることのできない小径缶は揺動板に係合したままのロッドに引っ掛かってそれより先に進めなくなり、大径缶のみ通過させる選択ゲートが形成される。
【００１６】
請求項３に記載の自動販売機における商品通路規制装置は、請求項２における自動販売機における商品通路規制装置において、ガイド底面より揺動板の末端高さが、大径缶の直径より低く、小径缶の直径より高い位置となるように前記揺動板を固定するストッパーがガイド側壁に設けられたことを特徴とするものである。
【００１７】
請求項３の発明によると、今度は大径缶のみの通過が揺動板の固定により阻止されるので、同一装置でありながら請求項１の商品通路規制装置とは逆に小径缶のみを通過させることが可能となる。
【００１８】
請求項４の自動販売機における商品通路規制装置は請求項３における自動販売機における商品通路規制装置において、ストッパーと商品排出口の商品通路規制装置との間に連動リンク装置を設けたことを特徴とするものである。
【００１９】
請求項４の発明によると、商品入口ガイドを大径缶のみに合わせた場合、出口ガイドも大径缶、逆に小径缶のみにあわせた場合は出口ガイドも小径缶と連動するようになり、入口が大径缶、出口が小径缶とされたときに生じる缶の内部詰まりなどの故障が防止される。
【００２０】
請求項５に記載の自動販売機における商品通路規制装置は、商品供給ガイドが断面上向きコ字状をなす樋状のガイドとされ、該ガイド側面に、ガイド底部からの高さが前記商品収納棚に収納される大径缶の直径より高い高さを支点とし、該支点よりガイド奥端方向へ向け下方傾斜し末端高さが大径缶の直径より低くかつ小径缶の直径より高くなるようストッパにより支持された第一のレバーが大径缶外面に接触可能に支持され、さらに該第一のレバーの末端に第二のレバーが相対回転可能に連接され、該第二のレバーはガイド奥端方向へ向けさらに下方傾斜して末端高さが小径缶の直径より低く支持され、該第二のレバーの末端の移動が、前記第一のレバーの末端の略最高位置の連接点を中心とする円周軌道に規制され、該円周軌道の規制部の下端に前記第二のレバーの長さ方向のみ移動を許容する長さ方向制部を設けたことを特徴とするものである。
【００２１】
この請求項５の発明は請求項１と同一目的を達成する別構成のもので、大径缶のみに接触可能な第一のレバーと投入された大径缶との共同で小径缶の通過を規制する第二のレバーを解除方向に移動させるように構成したものである。
【００２２】
【発明の実施の形態】
以下に、この発明の実施の形態を、缶飲料の自動販売機に採用した状態として図１〜図６に基づいて説明する。
【００２３】
なお、以下において前後は自動販売機の前面側（商品取出口側）を前とし、後面側を後ろとして表現し、それに基づいて上下左右を表現する。
図５において、自動販売器本体の内部には搬送路を兼ねた商品収納棚２が前後に複数列設けられ、これら商品収納棚２には商品収納搬送路３が蛇行状に形成されている。各商品収納棚２の下端部には、収納した缶飲料の缶体を払い出す商品払出装置４が設けられている。そして、商品払出装置４に設けられた規制ストッパ（図示せず）により下から２番目の缶体の落下を規制した状態で、商品払出装置４の下部に設けられた開閉フラッパ５を開けることにより、下端の缶体３５が下方に払い出される。
【００２４】
図１〜図５において、各商品収納棚２の上部にはそれぞれ入口部（投入口）１０が形成され、これら入口部１０には、投入された缶体のガイドを行う断面上向きコ字状をなす樋状の入口ガイド１１が設けられている。
【００２５】
なお、ここに「断面上向きコ字状をなす樋状のガイド」とは、投入された缶が転動する底面との缶が側方へ落ちないように支持するガードとが設けられたガイドであれば良いことを意味し、全体が断面コ字状をなすことに限定するものではない。
【００２６】
従って、底面と側面が分離した状態とされているような場合をも含む。
そしてこのガイド１１の側壁部１１Ａに、図１に示すようにガイド底部１１Ｂからの高さｈ１が商品収納棚２に収納される小径缶３５Ａと大径缶３５Ｂのうち、小径缶３５Ａの直径ｄより低い高さｈ１を始端１２Ａとし、該始端１２Ａよりガイド１１の奥端方向へ向け傾斜角θを有して高さを増し末端高さｈ２が大径缶の直径Ｄより高くされた案内孔１２が両側壁部１１Ａ、１１Ａの対面位置に設けられ、該両案内孔１２、１２間にロッド１３が掛け渡され、前記案内孔１２に沿って平行移動可能に支持されている。
【００２７】
なお、上記において案内孔１２はロッド１３を案内するものであればよいので図示例のような長孔とする他、ロッド１３末端を受容する「溝」であってもよい。
【００２８】
前記案内孔１２の始端１２Ａよりガイド１１の入り口側へ離れた位置で前記大径缶の直径Ｄより高い位置ｈ３を支点１４Ａとし前記案内孔１２の奥端位置を越える長さの揺動板１４であって、前記支点１４Ａとロッド１３との間で大径缶３５Ｂと接する揺動板１４が前記ガイド１１の側壁１１Ａ、１１Ａ間に設けられ、該揺動板１４の前記案内孔１２の始端１２Ａ位置のロッド１３と合致する位置に前記ロッド１３と係脱自在に係合し、係合時にはロッド１３の案内孔１２に沿った移動を制限する係合部１４Ｂが形成されて構成されている。
【００２９】
なお、上記における係合部１４Ｂは、ロッド１３と係合時にロッド１３が案内孔１２に沿って移動するのを阻止するものであれば良く、従って、係合部１４Ｂとして図示のようにロッド１３をルーズに受容する凹溝とする他、揺動板１４表面に係止突起を立設した簡単な構造のものであっても良い。
【００３０】
次に、上記商品通路規制装置の作動について説明する。
図１において、案内孔１２にロッド１３を掛け渡せば、ロッド１３は傾斜角θにより案内孔１２始端へと転がり、始端１２Ａで落ちつく。
【００３１】
次に、揺動板１４を側壁１１Ａ、１１Ａ間に軸支し図１に示すように、凹溝１４Ｂにロッド１３をルーズに受容した状態にセットする。
次に、大径缶３５Ｂをガイド１１に投入すると、転動する缶３５Ｂは、図２に示すようにロッド１３に接触する前に揺動板１４に接触し、これを押し上げて進む。
【００３２】
やがて大径缶３５Ｂはロッド１３に接触するが、ロッド１３は押し上げられた揺動板１４の凹溝１４Ｂから外れており、また大径缶３５Ｂとの接触角φも大きいので、ロッド１３は案内孔１２に沿って末端方向へ押されて移動して行く。
【００３３】
案内孔１２の末端高さｈ２は、大径缶３５Ｂの直径Ｄより高くされているので、末端部分で大径缶３５Ｂはロッド１３の下を潜り抜ける。
一方、ロッド１３を潜り抜けても揺動板１４の末端は図３に示すようにまだ大径缶３５Ｂによって持ち上げられた状態であるので、ロッド１３は案内孔１２に沿って始端１２側へと転がり落ちていく。
【００３４】
そして、缶３５Ｂが商品収納搬送路３へと転がり落ちれば、揺動板１４の末端支持の状態も解除され揺動板１４は下方へ落ちロッド１３を凹溝１４Ｂに嵌合した初期状態となり、待機の状態となる。
【００３５】
次に、小径缶３５Ａを投入した場合は、先の大径缶３５Ｂとは異なり、揺動板１４とロッド１３の高さ位置関係から小径缶３５Ａは揺動板１４とは殆ど接することなく転がり落ちて行き、直接ロッド１３又はその直前の揺動板１４下面に接する。
【００３６】
しかし、直接ロッド１３に接した場合は、ロッド１３は凹溝１４Ｂの側壁に遮られて案内溝１２に沿った移動ができず、またロッド１３は案内孔１２内壁に当接して上方への回転に抗するので揺動板１４も上方への回転運動ができず、結局小径缶３５Ａは揺動板１４とロッド１３の協同によってそれより前方への転動が阻止される。
【００３７】
ロッド１３直前の揺動板１４下面に接した場合でも、小径缶３５Ａによって揺動板１４が上昇するもののその距離は僅かなため、凹溝１４Ｂはロッド１３にかみ込む状態となって両者はスタックする。
【００３８】
従って、小径缶３５Ａに押されたロッド１３は結局凹溝１４Ｂの内面に押しつけられ、以後は上記と同様なスタック状態となって移動は阻止される。
結局、大径缶３５Ｂは通過しても小径缶３５Ａの通過は阻止される。
【００３９】
次に、同一装置で小径缶のみを通過させ、大径缶の通過を阻止する装置を説明する。
なお、商品通路規制装置そのものは上述した構成と全く同じであるので、重複する部分は図に同一符号を付するのみで詳細な説明は省略する。
【００４０】
図６において、入口ガイド１１の側壁１１Ａに揺動板１４の支点１４Ａ  を中心とする円弧状の長孔１５が設けられ、揺動板１４にはこの長孔１５を貫通するタブ１４Ｃが突設されている。
【００４１】
一方、側壁１１Ａには、回転圏にタブ１４Ｃを含み、揺動板１４の末端が小径缶３５Ａのみを通す高さとなったときにタブ１４Ｃと係合する鍵状ストッパ１６Ａを設けたレバー１６が軸支され、レバー１６には操作ノブ１６Ｂが設けられている。
【００４２】
このレバー１６を下方位置１６Ｄに位置させた時は、揺動板１４は自由に回転でき、従って上述の通り小径缶３５Ａの通過を阻止するが、レバー１６を操作ノブ１６Ｂで引き起した場合、揺動板１４はレバー１６によりタブ１４Ｃを介して持ち上げられ、鍵状ストッパ１６Ａの回転圏との相関によってタブ１４Ｃはレバー１６と鍵状ストッパ１６Ａに挟まれ位置が固定される。
【００４３】
従って、今度は大径缶３５Ｂが投入されたとき、大径缶３５Ｂはレバー１６で固定された揺動板１４で止められる。
次に、入口部１０で大径缶のみを通過させるようにした場合、商品出口部における出口ガイド２１が小径缶のみを通過させるようにセットされていると、出口から商品が排出されないので不都合となる。
【００４４】
以下、このような不都合を防止する自動販売機における商品通路規制装置を説明する。
なお、商品通路規制装置そのものは上述した構成と全く同じであるので、重複する部分は図に同一符号を付するのみで詳細な説明は省略する。
【００４５】
図７に示した装置においてレバー１６には連結ロッド１８が設けられ、その連結ロッド１８の末端に、出口部２０の出口ガイド２１の上位スライドピン２３が連接される。
【００４６】
図７に示す出口ガイド２１はロッド１８に連なる上位スライドピン２３と下位スライドピン２６を介して、二点鎖線で示すように固定フレームに設けた上記スライドピンガイド孔２２と下位スライドピンガイド孔２５にガイドされる。
【００４７】
上位スライドピンガイド孔２２は上下方向に長く、かつ上端係止部２２Ａと下端係止部２２Ｂとが、上端係止部２２Ａを商品払出４から離れる側として前後方向に、ある間隔を持つように形成されている。
【００４８】
下位スライドピンガイド孔２５は逆Ｕ字状で傾斜して形成され、かつ上端係止部２５Ａと下端係止部２５Ｂとが、上端係止部２５Ａを商品払出装置４から離れる側として前後方向に、ある間隔を持つように形成されている。
【００４９】
そして、ロッド１８を下降させれば、上位スライドピン２３は上位スライドピンガイド孔２２の下端２２Ｂに、また下位スライドピン２６は下位スライドピンガイド孔２５の下端２５Ｂに位置し、この結果出口ガイド２１は商品払出装置４に対して接近動され小径缶３５Ａ用の出口を形成する。
【００５０】
逆に、ロッド１８を上昇させれば、上位スライドピン２３は上位スライドピンガイド孔２２の上端２２Ａに、また下位スライドピン２６は下位スライドピンガイド孔２５の上端２５Ａに位置し、この結果出口ガイド２１は商品払出装置４に対して離間動され大径缶３５Ｂ用の出口を形成する。
【００５１】
そして、図よりも明らかなように、ロッド１８を下方へ引き下げれば小径缶３５Ａのみを通過させ、上方へ引き上げれば大径缶３５Ｂのみを通過させるので、入口と出口の缶の径が一致する。
【００５２】
従って、入口を大径缶通過にセットした場合に、出口を小径缶通過にしたまま切り換えるのを忘れていた場合の事故なども防止できる。
図８、図９は、上記と同じ目的のもとに別構成とされた自動販売機における商品通路規制装置の説明図である。
【００５３】
図８、図９において、商品供給ガイドが断面上向きコ字状をなす樋状のガイド１１とされ、該ガイドの側壁１１Ａに、ガイド底部１１Ｂからの高さｈ３が前記商品収納棚に収納される大径缶３５Ｂの直径Ｄより高い高さｈ３を支点１４Ｄとし、該支点１４Ｄよりガイド１１奥端方向へ向け下方傾斜し末端高さが大径缶３５Ｂの直径Ｄより低くかつ小径缶３５Ａの直径Ｄより高くストッパ１２Ｃにより支持された第一のレバー１４Ｅが大径缶３５Ｂ外面に接触可能に設けられ、さらに該第一のレバー１４Ｅの末端に第二のレバー１４Ｆが相対回転可能にヒンジピン１４Ｇなどで連接されている。
【００５４】
該第二のレバー１４Ｆはガイド奥端方向へ向けさらに下方傾斜して末端１４Ｈの高さが小径缶３５Ａの直径Ｄより低く支持され、この末端１４Ｈに前記ガイド側壁１１Ａ間を横断するロッド１３Ａが設けられている。
【００５５】
そして、該第二のレバーの末端１４Ｈの回転軌道が、前記第一のレバー１４Ｅ末端の略最高位置となったときのヒンジピン１４Ｇ（図９）を中心とする円周軌道Ｐに規制され、該円周軌道Ｐの規制部の下端Ｐ１に前記第二のレバー１４Ｆの移動を該レバーの長さ方向に許容する長さ方向規制部Ｑを設けて構成されている。
【００５６】
上記において、第一のレバー１４Ｅ及び第二のレバー１４Ｆはガイド１１上で缶３５Ａ、３５Ｂに接触可能なように配置され、また、図１１に示すように板状をなす形状とされている。また第一のレバー１４Ｅと第二のレバー１４Ｆとを連接するヒンジピン１４Ｇは、ガイド側面１１Ａ方向へ延出され、図示のように側壁部１１Ａに設けた、支点１４Ｄを中心とする円弧状の長孔１２Ｄに係合され、この長孔１２Ｄの下端がストッパ１２Ｃとなるようにされている。
【００５７】
また、第二のレバー１４Ｆの円軌道Ｐ及び長さ方向規制部Ｑもそれぞれの軌跡に沿った円弧長孔１２Ｐ及び分岐長孔１２Ｑにロッド１３Ａの端部を挿入係合させることにより規制されるようにされている。
【００５８】
さらに、第一のレバー１４Ｅと第二のレバー１４Ｆの連接点は、図１２に拡大して示すように、いずれかのレバーに固定したヒンジピン１４Ｇに対し長孔１４Ｊを介して連接される構成とすることが望ましい。
【００５９】
次に、上記商品通路規制装置の作動について説明する。
図８は大径缶３５Ｂが第一のレバー１４Ｅに接触する直前の状態を示し、図９は大径缶３５Ｂが第一のレバー１４Ｅを最高点に達するまで押し上げた状態を示している。
【００６０】
まず、大径缶３５Ｂがガイド１１に投入され転動し第一のレバー１４Ｅに接触すると、その勢いにより、第一のレバー１４Ｅが押し上げられ、図９の状態となる。
【００６１】
この時、第二のレバー１４Ｆは第一のレバー１４Ｅと連動して、図示のようにヒンジピン１４Ｇで「へ」字状に曲折するため、末端１４Ｈが分岐長孔１２Ｑから円弧長孔１２Ｐへと移動する。
【００６２】
さらに大径缶３５Ｂが転動して進むと、第二のレバー１４Ｆが押されて回転する。このとき、第一のレバー１４Ｄ末端は円弧長孔１２Ｄの略最高位置にあり、かつ第二のレバー１４Ｆは円弧長孔１２Ｄの頂点を中心として回転できるので、図１０に示すように第二のレバー１４Ｆは大径缶３５Ｂに押されて円弧長孔１２Ｐに沿って回転し、この結果大径缶３５Ｂは、第二のレバー１４Ｆの下方をすり抜けて通過する。
【００６３】
通過した後は、第一のレバー１４Ｅ、第二のレバー１４Ｆは共々円弧長孔１２Ｄ、１２Ｐに沿って自然落下し、図８に示す状態となって待機状態となる。
なお、第一のレバー１４Ｅ、第二のレバー１４Ｆの復帰動作をスムーズにさせるため、連接点Ｊを図１２に示すように軸方向にも相対移動できるようにしておくことが望ましい。
【００６４】
次に、小径缶３５Ａを投入した場合、小径缶３５Ａは、第一のレバー１４Ｄ下方をすり抜けて通過してしまい、直接第二のレバー１４Ｆに接触する。
しかし、第二のレバー１４Ｆは末端１４Ｈが分岐長孔１２Ｑに入ったままであるので、小径缶３５Ａの接触圧力が加わっても移動せず、結局図８の状態が変化せず、第二のレバー１４Ｆとの接触あるいはロッド１３Ａによって小径缶３５Ａは塞き止められる。
【００６５】
従って、大径缶のみを通過させ、小径缶３５Ａの通過を阻止することが可能となるのである。
【００６６】
【発明の効果】
以上説明したように、請求項１の自動販売機における商品通路規制装置は、小径缶の通過は阻止し、大径缶のみを通過させる機構が、高価な光電管装置などを使用することなく安価なリンク機構のみで構成でき、大小径の缶種の選別が確実にできる装置が安価に提供できるのである。
【００６７】
請求項２の自動販売機における商品通路規制装置によれば、簡単な構成で請求項１と同じ目的が達成でき、請求項３の発明によれば請求項２と全く同じ機構でありながら、逆に小径缶のみを通過させるように切り換えることができ、大径缶、小径缶の任意の選別が可能となる。
【００６８】
請求項４によれば、請求項３において缶種選別を切り換えた時に、これと連動して商品出口のガイドの缶種も同時に切り換えることができるので、商品入口と出口のガイドの不一致による缶詰まりなどの事故も未然に防げるなどの効果を有する。
【００６９】
請求項５によれば、構造が簡単な上、小径缶通過時の第二のレバーの係止が確実になるので、装置の信頼性が増すなどの効果を有する。
【図面の簡単な説明】
【図１】請求項２の発明の一実施形態を示す要部断面図である。
【図２】大径缶を投入した場合の作動説明図である。
【図３】同じく大径缶を投入した場合の作動説明図である。
【図４】小径缶を投入した場合の作動説明図である。
【図５】自動販売機の断面図である。
【図６】請求項３の発明の実施の形態を示す要部側面図である。
【図７】請求項４の発明の実施の形態を示す要部斜視図である。
【図８】請求項５の発明の実施の形態を示す断面図である。
【図９】大径缶を投入した状態を示す断面図である。
【図１０】同じく大径缶を投入した状態を示す断面図である。
【図１１】請求項５の発明の実施の形態の要部斜視図である。
【図１２】請求項５の発明の実施の形態の要部断面図である。
【図１３】従来例の断面図である。
【図１４】図１３の要部拡大図である。
【符号の説明】
１  自動販売機
１０  入口部（投入口）
１１  樋状の入口ガイド
１１Ａ  側壁部
１１Ｂ  ガイド底部
１２  案内孔
１２Ｃ  ストッパ
１２Ｐ    円弧長孔
１２Ｑ  分岐長孔
１３  ロッド
１３Ａ  ロッド
１４  揺動板
１４Ａ  支点
１４Ｂ  ロッドをルーズに受容する凹溝
１４Ｃ  タブ
１４Ｄ  支点
１４Ｅ  第一のレバー
１４Ｆ    第二のレバー
１４Ｇ    ヒンジピン
１４Ｈ    末端
１５  円弧状の長孔
１６  レバー
１６Ａ  鍵状ストッパ
１６Ｂ  操作ノブ
１８  連結ロッド
２  商品収納棚
２１  出口ガイド
２２  スライドピンガイド孔
２２Ａ  上端係止部
２２Ｂ  下端係止部
２３  上位スライドピン
２５  下位スライドピンガイド孔
２５Ａ  上端係止部
２５Ｂ  下端係止部
２６  下位スライドピン
３  商品収納搬送路
３５Ａ  小径缶
３５Ｂ  大径缶
４  商品払出装置
５  開閉フラッパ
ｄ  小径缶の直径
Ｄ  大径缶の直径
【図１】
0003599555.tif 000002
【図２】
0003599555.tif 000003
【図３】
0003599555.tif 000004
【図４】
0003599555.tif 000005
【図５】
0003599555.tif 000006
【図６】
0003599555.tif 000007
【図７】
0003599555.tif 000008
【図８】
0003599555.tif 000009
【図９】
0003599555.tif 000010
【図１０】
0003599555.tif 000011
【図１１】
0003599555.tif 000012
【図１２】
0003599555.tif 000013
【図１３】
0003599555.tif 000014
【図１４】
0003599555.tif 000015